(57)【要約】【課題】除湿と同時に脱臭、アレルゲンやウイルスや菌の不活性化、除菌等ができる。除湿手段の冷却側を有効利用して空気中の水分を結露させて放電電極に水を供給できる。【解決手段】除湿装置１に吸込部２と、吸込んだ空気を除湿する除湿手段３と、除湿した空気を吐出する吐出部４とを備える。除湿手段３は湿気を含んだ空気を冷却することで除湿するものである。除湿手段３で除湿した乾燥空気に帯電微粒子水を放出するための静電霧化装置５を設ける。静電霧化装置５に、放電電極６と、空気中の水分を結露水として生成することで放電電極６に水を供給するための冷却手段７と、放電電極６に供給された水を静電霧化するために放電電極６に高電圧を印加するための８とを備える。除湿手段３の冷却側を静電霧化装置５の放電電極６に接続させて放電電極６を冷却する冷却手段７を構成する。【選択図】図１
2008264778.tif 000002
【特許請求の範囲】
【請求項１】
除湿装置に吸込部と、吸込んだ空気を除湿する除湿手段と、除湿した空気を吐出する吐出部とを備え、上記除湿手段が湿気を含んだ空気を冷却することで除湿するものであり、除湿手段で除湿した乾燥空気に帯電微粒子水を放出するための静電霧化装置を設け、該静電霧化装置に、放電電極と、空気中の水分を結露水として生成することで放電電極に水を供給するための冷却手段と、放電電極に供給された水を静電霧化するために放電電極に高電圧を印加するための高電圧印加部とを備え、上記除湿手段の冷却側を静電霧化装置の放電電極に接続させて放電電極を冷却する冷却手段を構成して成ることを特徴とする除湿装置。
【請求項２】
除湿手段の冷却側と静電霧化装置の放電電極とを熱伝導性の良い伝熱部材を介して接続して成ることを特徴とする請求項１記載の除湿装置。
【請求項３】
放電電極又は伝熱部材近傍の温度又は湿度を検知して伝熱部材の伝熱量をコントロールすることを特徴とする請求項２記載の除湿装置。
【発明の詳細な説明】
【技術分野】
【０００１】
本発明は、静電霧化現象を利用して帯電微粒子水を生成する静電霧化装置を有する熱交換により除湿する除湿装置に関するものである。
【背景技術】
【０００２】
従来から、吸込部から吸込んだ空気を除湿手段により除湿して乾燥空気として吐出部から吐出するようにした除湿装置が特許文献１等により知られている。
【０００３】
しかしながら、特許文献１に示されたような除湿装置においては、単に湿った空気を吸い込んで除湿して乾燥空気として送り出すようにしたものでしかなく、乾燥空気の脱臭、除菌、アレルゲン物質の除去、あるいは、乾燥空気が放出される空間における脱臭、除菌、アレルゲン物質の除去はできなかった。
【０００４】
また、従来から霧化電極と、霧化電極に対向して位置する対向電極と、霧化電極に水を供給する供給手段とを備え、霧化電極と対向電極との間に高電圧を印加することで霧化電極に保持される水を霧化させ、ナノメータサイズの帯電イオンミストを発生させる静電霧化装置が知られている。
【０００５】
このナノメータサイズの帯電微粒子水は保湿効果があり、また、活性種が水分子に包み込まれるようにして存在するため脱臭効果、カビや菌の除菌や繁殖の抑制効果があり、更にまた、活性種が水分子に包み込まれるようにして存在するナノメータサイズの帯電微粒子水は遊離基単独で存在する場合より寿命が長くなり、且つ、ナノメータサイズと非常に小さいので、空気中に長時間浮遊すると共に拡散性が高く、空気中に長時間満遍なく浮遊して、脱臭効果をより高めることができるという特徴を有している。
【０００６】
しかしながら、上記特許文献２に示された従来の静電霧化装置は、水の供給手段が、水が充填される水タンクと、水タンク内の水を毛細管現象により霧化電極まで搬送する水搬送部を備えた構造であるので、使用者は水タンク内に継続的に水を補給する必要があり、面倒な水補給の手間が強いられるという問題があって、使い勝手が悪いという問題があった。また、上記の静電霧化装置においては、供給する水が水道水のようなＣａ、Ｍｇ等の不純物を含む水であった場合、この不純物が空気中のＣＯ２と反応して水搬送部の先端部にＣａＣＯ３やＭｇＯ等を析出付着させ、毛細管現象による水の供給を阻害し、ナノメータサイズの帯電微粒子水の発生を妨げるという問題があった。
【０００７】
そこで、上記問題を解決するために、霧化電極にペルチェユニットの冷却部を接続して霧化電極を冷却し、霧化電極を冷却して空気中の水分を結露させることで霧化電極に水を供給し、霧化電極と対向電極との間に高電圧を印加して霧化電極に供給された水（結露水）を静電霧化するようにしたものが特許文献３により知られている。
【０００８】
この特許文献３の従来例は、水の補給の手間が不要となり、得られた水には不純物が含まれないことからＣａＣＯ３やＭｇＯ等が析出付着しないという特徴を有している。
【０００９】
しかしながら、上記特許文献３に示された従来例にあっては、ペルチェユニット及びペルチェユニットの制御回路が必要であり、また、結露水がペルチェユニット側に浸入しないように防水対策が必要であり、これらの理由によりコストが高くなり、また、ペルチェユニットを設けるためサイズも大きくなるという問題があった。
【００１０】
したがって、仮に、上記特許文献２や特許文献３に示された静電霧化装置を特許文献１に示された除湿装置に組み込んでも、上記した水の補給の手間や、ペルチェユニット及びペルチェユニットの制御回路を必要とするという問題が残る。
【特許文献１】特開平８−１８９６６４号公報
【特許文献２】特許第３２６０１５０号公報
【特許文献３】特開２００６−６８７１１号公報
【発明の開示】
【発明が解決しようとする課題】
【００１１】
本発明は上記の従来の問題点に鑑みて発明したものであって、除湿と同時に除湿対象空間の脱臭、アレルゲンやウイルスや菌の不活性化、除菌等を行うことができ、しかも、ペルチェユニットを用いることなく除湿手段の冷却側を有効利用して空気中の水分を結露させて放電電極に水を供給でき、また、静電霧化を行おうとする霧化対象空間の温度、湿度条件の制約を受けず、確実に霧化電極に水を供給して安定して静電霧化を行うことができる除湿装置を提供することを課題とするものである。
【課題を解決するための手段】
【００１２】
上記課題を解決するために本発明に係る除湿装置は、除湿装置１に吸込部２と、吸込んだ空気を除湿する除湿手段３と、除湿した空気を吐出する吐出部４とを備え、上記除湿手段３が湿気を含んだ空気を冷却することで除湿するものであり、除湿手段３で除湿した乾燥空気に帯電微粒子水を放出するための静電霧化装置５を設け、該静電霧化装置５に、放電電極６と、空気中の水分を結露水として生成することで放電電極６に水を供給するための冷却手段７と、放電電極６に供給された水を静電霧化するために放電電極６に高電圧を印加するための高電圧印加部８とを備え、上記除湿手段３の冷却側を静電霧化装置５の放電電極６に接続させて放電電極６を冷却する冷却手段７を構成して成ることを特徴とするものである。
【００１３】
このような構成とすることで、除湿対象空間の湿った空気を吸込部２から吸い込んで除湿手段３で除湿して乾燥空気として吐出部４から除湿対象空間に吐出することで、除湿対象空間の除湿を行う。このとき、冷却手段７で空気中の水分を結露水として生成させて放電電極６に供給し、高電圧を印加することで、放電電極６に供給された水を静電霧化して帯電微粒子水を生成し、除湿した後の乾燥空気と共に除湿対象空間に放出する。これにより、除湿対象空間の除湿と、除湿対象空間の殺菌、脱臭を行うことができる。特に、帯電微粒子水はナノメータサイズと小さく、霧化対象空間の壁面や霧化対象空間内に存在する物の表面から内部に浸透して殺菌、脱臭ができるので、防カビ効果が優れている。また、空気中の水分を結露水として生成して放電電極６に供給するに当り、除湿手段３の冷却側を静電霧化装置５の放電電極６に接続させて放電電極６を冷却する冷却手段７を構成しているので、冷却のためにペルチェユニットのような特別な冷却手段を別途必要とせず、除湿装置１に本来備わっている除湿手段３の冷却側をそのまま冷却手段７として利用できる。
【００１４】
また、除湿手段３の冷却側と静電霧化装置５の放電電極６とを熱伝導性の良い伝熱部材９を介して接続することが好ましい。
【００１５】
このような構成とすることで、除湿手段３の冷却側により放電電極６を効果的に冷却して空気中の水分を結露させて放電電極６に水を供給できる。
【００１６】
また、放電電極６又は伝熱部材９近傍の温度又は湿度を検知して伝熱部材９の伝熱量をコントロールすることが好ましい。
【００１７】
このような構成とすることで、気温や湿度が変化しても確実に空気中の水分を結露させて放電電極６に水を供給できて、帯電微粒子水の生成を安定して行える。
【発明の効果】
【００１８】
本発明は、上記のように除湿手段で除湿した乾燥空気に帯電微粒子水を放出するための静電霧化装置を設けたので、乾燥空気と共に帯電微粒子を除湿対象空間に放出できて、除湿と同時に除湿対象空間の脱臭、アレルゲンやウイルスや菌の不活性化、除菌等を行うことができ、しかも、除湿手段の冷却側を静電霧化装置の放電電極に接続させて放電電極を冷却する冷却手段を構成するので、ペルチェユニットなどの特別な冷却手段を別途も設ける必要がなく、除湿手段に備わっている冷却側を有効利用して空気中の水分を結露させて放電電極に水を供給でき、構造が簡略化し、コストダウンが図れる。
【発明を実施するための最良の形態】
【００１９】
（実施形態１）
以下、本発明を添付図面に示す実施形態に基づいて説明する。
【００２０】
除湿装置１には除湿流路１０が設けてあり、該除湿流路１０は一端部が吸込部２となり且つ他端部が吐出部４となっている。吐出部４にはルーバ４０が設けてある。
【００２１】
除湿装置１には除湿流路１０の途中に除湿手段３と送風手段１１とが設けてある。
【００２２】
図１の実施形態では除湿流路１０の途中に除湿室１８を設けると共に該除湿室１８に凝縮器１９と蒸発器２０を備えることで除湿手段３を構成してあるが、吸着剤により除湿手段３を構成してもよいが、以下の実施形態では。凝縮器１９と蒸発器２０を備えた例で説明する。
【００２３】
除湿室１８の底部には排水部２１が設けてあり、底部は排水部２１側が低くなるような傾斜面となっている。
【００２４】
除湿装置１内の下部には水溜め部１３が設けてあり、上記除湿室１８の底部に設けた排水部２１から流下した水を溜めるようになっている。
【００２５】
除湿流路１０の除湿室１８よりも下流側に送風手段１１であるファンを収納する送風手段収納室２２が設けてあり、除湿室１８と送風手段収納室２２とは除湿室１８の下流側の下端部に設けた連通口２３で連通していて、除湿室１８で除湿された乾燥空気が連通口２３を経て送風手段収納室２２に流入するようになっている。
【００２６】
上記除湿装置１は送風手段１１を運転することで、除湿対象空間の空気が吸込部２から吸い込まれ除湿手段３により除湿され、乾燥空気となって吐出部４から除湿対象空間内に返送されることで、除湿対象空間の除湿をする。
【００２７】
本発明において除湿手段３は空気を冷却することで除湿するもので構成してある。具体的には、凝縮器１９、蒸発器２０で構成してあり、蒸発器２０側が除湿手段３の冷却側となっている。そして、吸込部２から吸込まれた湿った空気は、凝縮器１９で熱交換されて加温され、蒸発器２０で冷やされて空気中の水分が結露水となって除去されることで乾燥空気となる。除湿により発生した凝縮水は排水部２１から水溜め部１３に流れて溜められる。
【００２８】
上記のような構成の除湿装置１には更に除湿手段３で除湿した後の乾燥空気に帯電微粒子水を放出するための静電霧化装置５を除湿装置１に設けてある。
【００２９】
静電霧化装置５には、静電霧化現象を発生させて帯電微粒子水を生成する主体部５ａと、主体部５ａに設けた放電電極６に熱的に接続した伝熱部材９とを備えており、図１、図２に示すように除湿流路１０の壁部１０ａを貫通して主体部５ａが除湿流路１０の除湿室１８に位置し、且つ、放電電極６が除湿流路１０の除湿室１８よりも下流側の部分（実施形態では送風手段収納室２２よりも下流側の部分）に位置している。
【００３０】
静電霧化装置５の主体部５ａの外郭を構成し且つ内部が霧化対象空間となったハウジング３６内には放電電極６と対向電極２５と内装してある。対向電極２５はドーナツ状をした金属板により構成してあってハウジング３６の前面に設けた放出用開口３６ｂに対向するようにハウジング３６内に取付けてあり、ハウジング３６内の後部には放電電極６が取付けてあり、放電電極６の先端の尖った部分がドーナツ状をした対向電極２５の中央孔部のセンターと同一軸線上に位置している。放電電極６と対向電極２５とは高圧リード線を介して高電圧印加部８に電気的に接続してある。
【００３１】
上記放電電極６の後端部には金属のような熱伝導性の良い伝熱部材９が設けてある。ここで、放電電極６と伝熱部材９とを一体に形成したものでもよく、また、放電電極６に別体の伝熱部材９を固着してもよく、また、放電電極６に別体の伝熱部材９を接触させるようにしたものであってもよい。いずれの場合も、伝熱部材９と放電電極６とで熱を効率よくやりとりできるような構成とする。
【００３２】
伝熱部材９はハウジング３６の底部３６ａに嵌挿して取付けられている。ハウジング３６の底部３６ａの下面側の伝熱部材９が嵌挿する部分には凹所が設けてあって、該凹所に伝熱部材９を囲むようにヒータ３８が収納してある。
【００３３】
伝熱部材９の他端部は除湿手段３の冷却側である蒸発器２０に熱的に接続してある。つまり、放電電極６は伝熱部材９を介して蒸発器２０により冷却されるように構成してある。したがって、本発明においては、蒸発器２０が放電電極６を冷却する冷却手段７を構成している。
【００３４】
図２に示すように、伝熱部材９の軸方向の片側半分は固定断熱部材４２により小間隙４３を介して囲まれており、伝熱部材９に軸方向に移動自在に被嵌した可動断熱材４４が上記小間隙４３から出し入れ自在となっている。可動断熱材４４にはラック部５０が設けてあり、該ラック部５０は駆動ギア５１に噛み合っていて駆動ギア５１を駆動することで、可動断熱材４４を軸方向に移動して伝熱部材９の外面の外部に露出する面積を可変するようになっている。
【００３５】
上記のような構成において、除湿装置１を運転すると、蒸発器２０が冷却側となって冷えるので、伝熱部材９を介した熱のやりとりにより放電電極６の温度が低下する。放電電極６の温度が低下すると、ハウジング３６内の空気が冷やされて空気中に含まれる水分を放電電極６に結露水として生成させる。このようにして放電電極６には安定して水が供給されることになる。
【００３６】
このように放電電極６に水が供給されている状態で、高電圧印加部８により放電電極６と対向電極２５との間に高電圧を印加すると、放電電極６と対向電極２５との間にかけられた高電圧により放電電極６の先端部に供給された水と対向電極２５との間にクーロン力が働いて、水の液面が局所的に錐状に盛り上がり（テーラーコーン）が形成される。このようにテーラーコーンが形成されると、該テーラーコーンの先端に電荷が集中してこの部分における電界強度が大きくなって、これによりこの部分に生じるクーロン力が大きくなり、更にテーラーコーンを成長させる。このようにテーラーコーンが成長し該テーラーコ
ーンの先端に電荷が集中して電荷の密度が高密度となると、テーラーコーンの先端部分の水が大きなエネルギー（高密度となった電荷の反発力）を受け、表面張力を超えて分裂・飛散（レイリー分裂）を繰り返してナノメータサイズの帯電微粒子水を大量に生成させる。
【００３７】
このようにして生成されたナノメータサイズの帯電微粒子水は対向電極２５の中央孔を通過してハウジング３６の前面に設けた放出用開口３６ｂから除湿流路１０内に放出される。除湿後の空気流れに乗って吐出部４から除湿対象空間に放出される。
【００３８】
除湿対象空間に放出されたナノメータサイズの帯電微粒子水はナノメータサイズと極めて小さいために空気中に長時間浮遊すると共に拡散性が高いため、除湿対象空間内の隅々まで浮遊して、除湿対象空間の壁面や除湿対象空間内にある物に付着するものであり、しかも、ナノメータサイズの帯電微粒子水活性種が水分子に包み込まれるようにして存在するため脱臭効果、アレルゲン物質や不活性化、カビや菌の除菌や繁殖の抑制効果があり、除湿対象空間の壁や内部の物に付着して脱臭効果、アレルゲン物質の不活性化、カビや菌の除菌や繁殖の抑制効果を発揮することになる。また、活性種が水分子に包み込まれるようにして存在するナノメータサイズの帯電微粒子水は遊離基単独で存在する場合より寿命が長いため、上記拡散性、脱臭効果、アレルゲン物質の不活性化、カビや菌の除菌や繁殖の抑制効果がより向上することになる。
【００３９】
ところで、伝熱部材９を介して放電電極６と、除湿手段３の冷却側である蒸発器２０との間で熱のやりとりをして放電電極６を冷却することで、放電電極６周囲の空気中の水分を結露させて放電電極６に結露水を生成させて水の供給を行うに当り、放電電極６の周囲の温度や湿度が変動したり、放電電極６の温度が変動したり、伝熱部材９近傍の温度（例えば蒸発器２０の温度）が変動すると、放電電極６周囲の空気中の水分を効果的に放電電極６に結露水として適正な量生成させ難くなるおそれがある。そこで、本実施形態においては、放電電極６と、除湿手段３の冷却側である蒸発器２０との間で熱のやりとりをして放電電極６を冷却するに当って、伝熱部材９による伝熱量を調整する調整手段６０を設けてある。
【００４０】
すなわち、図３に示す実施形態では、霧化対象空間であるハウジング３６内に、霧化対象空間の温度と湿度とを検出するための霧化対象空間温湿度検出手段４５と、放電電極６の温度を検出する放電電極温度検出手段４６と、蒸発器２０の温度を検出する蒸発器温度検出手段４７とを設けてあり、これらの検出手段からの検出データが制御部７０に入力され、調整手段６０により伝熱部材９による伝熱量を調整して、伝熱部材９と蒸発器２０との熱のやりとりにより放電電極６を何℃になるように冷却すれば、最も効果的に放電電極６の周囲の空気（つまり霧化対象空間内の空気）中の水分を結露させて静電霧化に必要な水として供給できるかを求め、調整手段６０により放電電極６が目的の温度となるように伝熱部材９による伝熱量の調整を制御するようになっており、霧化対象空間内の温度や湿度、あるいは、伝熱部材９近傍（つまり蒸発器２０側の）が変化しても確実に空気中の水分を結露させて放電電極６に水を供給できて、帯電微粒子水の生成を安定して行えるようになっている。
【００４１】
調整手段６０としては図の実施形態では、伝熱部材９の外部に露出する表面面積を調整する可動断熱材４４、ラック部５０、駆動ギア５１よりなる表面積調整手段３７と、ヒータ３８とがある。
【００４２】
すなわち、霧化対象空間温湿度検出手段４５により霧化対象空間の温度と湿度とを検出して放電電極６の露点温度ＴＯを算出する。次に、放電電極温度検出手段４６で放電電極６の温度ＴＢを検出する。ＴＯ＞ＴＢであると蒸発器温度検出手段４７で蒸発器２０の温
度ＴＣを検出する。このようにして放電電極６の露点温度ＴＯの露点温度と、放電電極６の温度ＴＢと、蒸発器２０の温度ＴＣを求め、これにより霧化対象空間の空気中の水分を基にして放電電極６に最適の量の結露水が供給されるように、伝熱部材９を介して蒸発器２０と放電電極６との間で熱のやりとりができるように伝熱部材９の露出面積を調整する。つまり、放電電極６の露点温度ＴＯの露点温度と、放電電極６の温度ＴＢと、蒸発器２０の温度ＴＣとで算出した伝熱部材９の最適の露出面積Ｓとなるように駆動ギア５１を駆動して可動断熱材４４を移動し、伝熱部材９の露出面積を調整する。
【００４３】
そして、放電電極６の露点温度ＴＯの露点温度と、放電電極６の温度ＴＢと、蒸発器２０の温度ＴＣとで算出した伝熱部材９の最適の露出面積Ｓが、駆動ギア５１を駆動して可動断熱材４４を移動した際の最大の露出面積ＳＭＡＸよりも大きい場合は、放電電極６が冷えすぎて過剰に結露水が生成されるため、ヒータ３８をオンにして、伝熱部材９を介して蒸発器２０と放電電極６との間で放電電極６に最適の量の結露水が生成されるようにする。
【００４４】
上記実施形態では、霧化対象空間の温度と湿度とを検出するための霧化対象空間温湿度検出手段４５と、放電電極６の温度を検出する放電電極温度検出手段４６と、蒸発器２０の温度を検出する蒸発器温度検出手段４７とを設けて、各検出手段で求めた情報に基づいて調整手段６０により伝熱部材９による伝熱量を調整するようにした例を示したが、精度はやや落ちるが、霧化対象空間温湿度検出手段４５、放電電極温度検出手段４６、蒸発器温度検出手段４７の少なくとも１つ又は２つを備え、この１つ又は２つの検出手段により求めた情報に基づいて調整手段６０により伝熱部材９による伝熱量を調整するようにしてもよい。
【００４５】
（実施形態２）
本実施形態の除湿装置を、図４を用いて説明する。本実施形態の除湿装置１は、上記実施形態１と異なり、除湿装置１の内部に、除湿流路１０と異なる経路として空気流路３０が形成し、当該空気流路３０に静電霧化装置５を設けたことに特徴がある。なお、その他の構成は実施形態１と同様であるため、同一の構成には同一の符号を付し、説明を省略する。
【００４６】
空気流路３０は、除湿流路１０とは異なる経路として、除湿流路１０と隣接して並列に形成されている。空気流路３０は、一端側に空気流入部３１を備え、他端側にはミスト放出部３２を備えている。空気流入部３１は空気流路３０に空気を取り込む入口であり、ミスト放出部３２は、空気流路３０から空気を吹き出す出口である。空気流入部３１は、吸込口２とは分離して形成されており、ミスト放出部３２は吐出部４とは分離して、隣接して形成されている。そして、空気流路３０は、内部にファン３３と、除湿流路１０から空気流路３０の内部に突出した静電霧化装置５とを備えている。
【００４７】
空気流路３０内のファン３３が回転することにより、除湿装置１の外部の空気が空気流入部３１より空気流路３０内に吸い込まれる。吸い込まれた空気は、静電霧化装置５の放電電極６で冷却される。冷却された空気に含まれる水分は、放電電極６に凝集し、結露水が生成される。このようにして放電電極６には水が供給されることになる。
【００４８】
このように、放電電極６に水が供給されている状態で、高電圧印加部８により放電電極６と対向電極２５との間に高電圧を印加すると、ナノメータサイズの帯電微粒子水が大量に生成される。生成されたナノメータサイズの帯電微粒子水は、対向電極２５の中央孔を通過して、空気流路３０内に放出される。そして、ナノメータサイズの帯電微粒子水はファン３３が作り出した空気の流れに乗って、ミスト放出部３２から除湿対象空間に放出される。
【００４９】
このような本実施形態の除湿装置１は、放電電極６の周囲の空気に含まれる水分を結露させて放電電極６に結露水を生成させて水の供給を行うにあたり、除湿装置１の外の水分を多く含んだ空気を、空気流入部３１を介して空気流路３０に流入させるので、放電電極６には、より確実に結露水が供給される。したがって、乾燥空気とともに帯電微粒子水をより確実に除湿対象空間に放出することができる。
【００５０】
また、空気流路３０のミスト放出部３２は、除湿流路１０の吐出部４０に隣接して設けられているため、ミスト放出部３２から放出された帯電微粒子水を吐出部４から吹き出す乾燥した空気に乗せて速やかに除湿対象空間に飛散させることができる。したがって、脱臭、除菌、アレルゲン物質の除去などの効果を更に向上することができる。
【００５１】
なお、添付図面に示す実施形態では放電電極と対向電極との間に高電圧を印加して帯電微粒子水を生成する静電霧化装置５の例を示したが、対向電極を設けない場合であってもよい。
【図面の簡単な説明】
【００５２】
【図１】実施形態１の除湿装置の断面図である。
【図２】同上の要部拡大断面図である。
【図３】同上の制御ブロック図である。
【図４】実施形態２の除湿装置の断面図である。
【符号の説明】
【００５３】
１  除湿装置
２  吸込部
３  除湿手段
４  吐出部
５  静電霧化装置
６  放電電極
７  冷却手段
８  高電圧印加部
９  伝熱部材
【図１】
2008264778.tif 000003
【図２】
2008264778.tif 000004
【図３】
2008264778.tif 000005
【図４】
2008264778.tif 000006